(57)【要約】      （修正有）【課題】栞が本から脱落するのを防ぎ、読みかけ場所を見開きページの四分の一ないし八分の一に特定するとともに、外観から栞の場所を一目瞭然とさせ、その取扱いを容易にする栞を提供する。【解決手段】隣接二辺が開口した袋状のもので、開口部をもって読みかけの対向ページを挟み、栞が本から脱落するのを防ぐ。また、ページを挟む栞の向きを変え、栞に「子栞」等の「区分栞」を設けてその「区分栞」を折り畳んだりして、読みかけ場所を見開きページの四分の一ないし八分の一に特定する。併せて、栞の上部角に耳だし部分を設け、本の外観から栞の場所を一目瞭然とさせ、読みかけのページを開いたりページを捲ったりすることを容易にする。【選択図】図１
2006007574.tif 000002
【特許請求の範囲】
【請求項１】
この栞は、隣接する二辺が開口した袋状の栞で、開口部をもって本の読みかけページの対向ページを天（あたま）の角から斜め下へ挟み込むことにより、栞が本から脱落するのを防ぐものである。
【請求項２】
この栞は、基本となる栞（栞の表面。以下「親栞」という。）とその中にさらに第２、第３の栞といった栞（親栞の裏面。以下「区分栞」という。）を作り、ページを挟み込む栞の向きと区分栞を折り畳むことによって見開き本のページ中で読みかけ場所を特定するものである。
【請求項３】
この栞は、その斜め上方のコーナー部に、本を閉じた天（あたま）の角から突出する部分（以下「栞耳」という。）を設けたもので、「栞耳」によって本の外観から一見して読みかけページを確認できるとともに、「栞耳」を持つことにより本の読みかけページを開けたり、ページを捲るとき栞の取扱いを容易にするものである。
【発明の詳細な説明】
【技術分野】
【０００１】
この発明は、栞が本から脱落するのを防ぐこと及び読みかけ場所を見開きページの中で限定できる機能を持ち、さらに、本を閉じたとき、外観から読みかけページを一目瞭然とさせ、栞の取扱いを容易にするための「栞耳」を設けた栞に関する。
【背景技術】
【０００２】
従来の短冊型の固紙栞は、ページを捲ったり本を取り扱っているうちに、本からスルリと脱落することがあった。
【０００３】
本の背表紙裏に糊付けされた栞紐（以下「スピン」という。）は本から離脱することはないが、寝ながら読むときには読みかけページから垂れ下がったりして邪魔になることがあり、またスピンでは読みかけのページは特定できるが、見開きページの中で読みかけ場所を特定することはできない。
【０００４】
なお、月刊の文芸雑誌や総合雑誌は言うまでもなく、昨今では文庫本でもスピンが付いていないのが普通で、単行本でさえスピンが付いてないものがある。
【発明の開示】
【発明が解決しようとする課題】
【０００５】
読書に栞は不可欠であるが、栞が本から脱落すると、何ページまで読んだのかを確認するのに余計な時間がかかり、そのような無駄をなくすために栞の脱落を防ぐことが課題の一つである。
【０００６】
また、小刻みな時間を有効に使って読書したり、何冊かの本を並行して読む多忙な読者や記憶力が減退した高齢者にとっては、見開きページの何処まで読んだのか定かでなくなってしまうことがある。そのようなときは、読み飛ばしを避けるため常に見開きの先頭に戻って読み直さなければならない。
【０００７】
そのようにページの先頭に戻らなくても、読みかけ部分を見開きの四分の一ないし八分の一に限定できれば無駄な時間が省けて、読書の進捗を図ることができ、読書効率のアップにつながる。このように読みかけ場所を特定することが二つ目の課題である。
【０００８】
さらに、本を閉じたとき外観から一目にして栞の位置を分かるようにし、併せて本の読みかけページを開けたりページを捲るとき栞の取扱いを容易にすることが三つ目の課題である。
【課題を解決するための手段】
【０００９】
この栞は、隣接二辺が開口した袋状のもので、その開口部で本の読みかけページの対向ページを挟み込むことによって栞が本から脱落するのを防ぐ。
【００１０】
この栞は、「親栞」の裏面にさらに一つないし三つの「区分栞」を作り、それらの栞を折り畳むことによって本の読みかけ場所を特定する。
【００１１】
この栞は、その斜め上方のコーナー部に、ページの天（あたま）の角から突出する「栞耳」を設けたもので、閉じた本の外観から一見して読みかけのページが確認できるとともに、「栞耳」を持って本の読みかけページを開き、またページを捲るとき栞の取扱いを容易にする。
【発明の効果】
【００１２】
この発明は、袋状の栞が読みかけページの対向ページを天（あたま）から斜め下方向へ差し挟むことによって、栞が本から脱落するのを防止できる効果がある。
【００１３】
また、小刻みな時間を使って読書したり、何冊かの本を並行して読むときに読書は中断されるが、この発明の栞を手順に取扱うことによって、再び読み始める場所を見開きページの中で四分の一ないし八分の一に限定できる効果がある。
【００１４】
また、「栞耳」を設けたので、閉じた本の外観から一見して栞を確認できるとともに、「栞耳」を持つことによって手早く読みかけのページを開くことができ、さらに読書中の栞の移動も扱いやすくなる効果がある。                  
【発明を実施するための最良の形態】
【００１５】
右ページの右上から下へ読み進める「縦通し組の本」（図１）は、各ページを前半と後半に２分し、左右のページで見開き４区分となる。
【００１６】
これに対しては、図２の型紙（正面図）を外周線及び切り線で切断し、その型紙の背面（図３）を内側にして折り線で折り、ノリシロで糊付けして図４（正面図）の栞（以下「縦組四区分栞」という。）を作る。
【００１７】
図４に示す「縦組四区分栞」の符号８の部分を折り線（符号１０）に沿って左斜め上方向へ折り曲げ裏返して「区分栞」（図６の符号１２。以下この位置で折り曲げる区分栞を「子栞」という。）とする。
【実施例１】
【００１８】
「縦組四区分栞」の開口部（袋の入り口。符号１１）をもって、見開きの左ページをその天（あたま）の角から右斜め下方へ向けて挟む。（図１の斜視図参照）
【００１９】
なお、開口部の形は、栞がページにスムーズに挿入できるように栞の下面（符号４）の大きさの範囲内で緩やかに彎曲している。
【００２０】
これによって栞が本から脱落することを防ぐとともに、右ページが読みかけページとして指定される。
【実施例２】
【００２１】
図５は、この発明「縦組四区分栞」の一実施例の正面図であり、「親栞」の中に図示された本の見開き図に「春」（符号１３）と表示されることによって、本の見開き４区分の最初の場所（「春」に呼応した右ページの前半部分）が読みかけ場所として特定される。
【００２２】
ここで、「親栞」や「区分栞」の中に表示される「春」などの文字は、読者が天地を正して読めるもののみを読みかけ場所を特定する文字とし、横倒しに見える「秋」などの文字は無視する。
【実施例３】
【００２３】
図６は、この発明「縦組四区分栞」の一実施例の正面図であり、４５度左斜め上方向へ折り畳まれた「子栞」（符号１２）の中に図示された本の見開き図に「夏」（符号１４）と表示されることによって、本の見開き４区分の２番目の場所（「夏」に呼応した右ページの後半部分）が読みかけ場所として特定される。
【００２４】
「縦組四区分栞」の開口部（符号１１）をもって、見開きの右ページをその天（あたま）から左斜め下方へ向けて挟む。（図１斜視図の栞を引き抜いて右へ９０度回転させて右ページの天（あたま）にセットした状態（図７）。以下左ページを指定するときは同じ操作をする。）
【００２５】
これによって栞が本から脱落することを防ぐとともに、左ページが読みかけページとして指定される。
【実施例４】
【００２６】
図７は、この発明「縦組四区分栞」の一実施例の正面図であって、「親栞」（符号２）の中に図示された本の見開き図に「秋」（符号１５）と表示されることによって、本の見開き４区分の３番目の場所（「秋」に呼応した左ページの前半部分）が読みかけ場所として特定される。
【実施例５】
【００２７】
図８は、この発明「縦組四区分栞」の一実施例の正面図であり、４５度右斜め上方向へ折り畳まれた「子栞」（符号１２）の中に図示された本の見開き図に「冬」（符号１６）と表示されることによって、本の見開き４区分の最後の場所（「冬」に呼応した左ページの後半部分）が読みかけ場所として特定される。
【００２８】
実施例２（図５）、実施例３（図６）では、本の左斜め上コーナーに突き出た「栞耳」（符号３）が、また、実施例４（図７）や実施例５（図８）では本の右斜め上コーナーに突き出た「栞耳」（符号３）が、それぞれ本を閉じたときに本の角から突出して、外観から一目にして読みかけページを確認できるようにするとともに、この「栞耳」を持つことによって読みかけページを開いたりページを捲るとき栞の取扱いを容易にしている。
【００２９】
右ページの右上から下へ読み進める「縦三段組の本」（図９）は、各ページを３段で３区分とし、左右のページで見開き６区分となる。
【００３０】
これに対しては、図１０の型紙（正面図）を外周線及び切り線で切断し、その型紙の背面（図１１）を内側にして折り線で折り、ノリシロで糊付けして図１２（正面図）の栞（以下「縦三段組六区分栞」という。）を作る。
【００３１】
図１２に示す「縦三段組六区分栞」の左斜め上にある符号１９の部分を上から一番目の折り線（符号２１）に沿って右斜め下方向へ折り曲げ裏返して「区分栞」（図１４の符号２０  以下この位置で折り曲げる区分栞を「孫栞」という。）とし、同所にある符号８の部分を上から二番目の折り線（符号１０）に沿って左斜め上方向へ折り曲げ裏返して「子栞」（図１５の符号１２）とする。
【実施例６】
【００３２】
「縦三段組六区分栞」の開口部（符号１１）をもって、見開きの左ページをその天（あたま）から右斜め下方へ向けて挟む。（図９の斜視図参照）
【００３３】
これによって栞が本から脱落することを防ぐとともに、右ページが読みかけページとして指定される。
【実施例７】
【００３４】
図１３は、この発明「縦三段組六区分栞」の一実施例の正面図であって、「親栞」（符号２）の中に図示された本の見開き図に「春」（符号２２）と表示されることによって、本の見開き６区分の最初の場所（「春」に呼応した右ページの上段部分）が読みかけ場所として特定される。
【実施例８】
【００３５】
図１４は、この発明「縦三段組六区分栞」の一実施例の正面図であって、４５度右斜め下方向へ折り畳まれた「孫栞」（符号２０）の中に図示された本の見開き図に「初夏」（符号２３）と表示されることによって、本の見開き６区分の２番目の場所（「初夏」に呼応した右ページの中段部分）が読みかけ場所として特定される。
【実施例９】
【００３６】
図１５は、この発明「縦三段組六区分栞」の一実施例の正面図であって、４５度左斜め上方向へ折り畳まれた「子栞」（符号１２）の中に図示された本の見開き図に「夏」（符号２４）と表示されることによって、本の見開き６区分の３番目の場所（「夏」に呼応した右ページの下段部分）が読みかけ場所として特定される。
【００３７】
「縦三段組六区分栞」の開口部（符号１１）をもって、見開きの右ページをその天（あたま）から左斜め下方へ向けて挟む。（図９斜視図の栞を引き抜いて右へ９０度回転させて右ページの天（あたま）にセットした状態（図１６）。）
【００３８】
これによって栞が本から脱落することを防ぐとともに、左ページが読みかけページとして指定される。
【実施例１０】
【００３９】
図１６は、この発明「縦三段組六区分栞」の一実施例の正面図であって、「親栞」（符号２）の中に図示された本の見開き図に「秋」（符号２５）と表示されることによって、本の見開き６区分の４番目の場所（「秋」に呼応した左ページの上段部分）が読みかけ場所として特定される。
【実施例１１】
【００４０】
図１７は、この発明「縦三段組六区分栞」の一実施例の正面図であって、４５度左斜め下方向へ折り畳まれた「孫栞」（符号２０）の中に図示された本の見開き図に「初冬」（符号２６）と表示されることによって、本の見開き６区分の５番目の場所（「初冬」に呼応した左ページの中段部分）が読みかけ場所として特定される。
【実施例１２】
【００４１】
図１８は、この発明「縦三段組六区分栞」の一実施例の正面図であって、４５度右斜め上方向へ折り畳まれた「子栞」（符号１２）の中に図示された本の見開き図に「冬」（符号２７）と表示されることによって、本の見開き６区分の最後の場所（「冬」に呼応した左ページの下段部分）が読みかけ場所として特定される。
【００４２】
実施例７（図１３）、実施例８（図１４）、実施例９（図１５）では本の左斜め上コーナーに突き出た「栞耳」（符号３）が、また、実施例１０（図１６）、実施例１１（図１７）、実施例１２（図１８）では本の右斜め上コーナーに突き出た「栞耳」（符号３）が、それぞれ本を閉じたときに本の角から突出して、読みかけページを外観から一目にして確認できるようにするとともに、この「栞耳」を持つことによって読みかけページを開いたりページを捲るとき栞の取扱いを容易にしている。
【００４３】
右ページの右上から下へ読み進める「縦二段組の本」（図１９）は、各ページの各段を前半と後半に２分し、上下２段で４区分とし、左右のページで見開き８区分となる。
【００４４】
これに対しては、図２０の型紙（正面図）を外周線及び切り線で切断し、その型紙の背面（図２１）を内側にして折り線で折り、ノリシロで糊付けして図２２（正面図）の栞（以下「縦二段組八区分栞」という。）を作る。
【００４５】
図２２に示す「縦二段組八区分栞」の左斜め上にある符号１９の部分を上から一番目の折り線（符号２１）に沿って右斜め下方向へ折り曲げ裏返して「孫栞」（図２４の符号２０）とし、同所にある符号８の部分を上から二番目の折り線（符号１０）に沿って左斜め上方向へ折り曲げ裏返して「子栞」（図２５の符号１２）とし、さらに、同所にある符号２９の部分を上から三番目の折り線（符号３０）に沿って左斜め上方向へ折り曲げ裏返して「区分栞」（図２６の符号３１  以下この位置で折り曲げる区分栞を「曾孫栞」という。）とする。
【実施例１３】
【００４６】
「縦二段組八区分栞」の開口部（符号１１）をもって、見開きの左ページをその天（あたま）から右斜め下方へ向けて挟む。（図１９の斜視図参照）
【００４７】
これによって栞が本から脱落することを防ぐとともに、右ページが読みかけページとして指定される。
【実施例１４】
【００４８】
図２３は、この発明「縦二段組八区分栞」の一実施例の正面図であって、「親栞」（符号２）の中に図示された本の見開き図に「春」（符号３２）と表示されることによって、本の見開き８区分の最初の場所（「春」に呼応した右ページ上段の前半部分）が読みかけ場所として特定される。
【実施例１５】
【００４９】
図２４は、この発明「縦二段組八区分栞」の一実施例の正面図であって、４５度右斜め下方向へ折り畳まれた「孫栞」（符号２０）の中に図示された本の見開き図に「夏」（符号３３）と表示されることによって、本の見開き８区分の２番目の場所（「夏」に呼応した右ページ上段の後半部分）が読みかけ場所として特定される。
【実施例１６】
【００５０】
図２５は、この発明「縦二段組八区分栞」の一実施例の正面図であって、４５度左斜め上方向へ折り畳まれた「子栞」（符号１２）の中に図示された本の見開き図に「秋」（符号３４）と表示されることによって、本の見開き８区分の３番目の場所（「秋」に呼応した右ページ下段の前半部分）が読みかけ場所として特定される。
【実施例１７】
【００５１】
図２６は、この発明「縦二段組八区分栞」の一実施例の正面図であって、４５度左斜め上方向へ折り畳まれた「曾孫栞」（符号３１）の中に図示された本の見開き図に「冬」（符号３５）と表示されることによって、本の見開き８区分の４番目の場所（「冬」に呼応した右ページ下段の後半部分）が読みかけ場所として特定される。
【００５２】
「縦二段組八区分栞」の開口部（符号１１）をもって、見開きの右ページをその天（あたま）から左斜め下方へ向けて挟む。（図１９斜視図の栞を引き抜いて右へ９０度回転させて右ページの天（あたま）にセットした状態（図２７）。）
【００５３】
これによって栞が本から脱落することを防ぐとともに、左ページが読みかけページとして指定される。
【実施例１８】
【００５４】
図２７は、この発明「縦二段組八区分栞」の一実施例の正面図であって、「親栞」（符号２）の中に図示された本の見開き図に「春」（符号３６）と表示されることによって、本の見開き８区分の５番目の場所（「春」に呼応した左ページ上段の前半部分）が読みかけ場所として特定される。
【実施例１９】
【００５５】
図２８は、この発明「縦二段組八区分栞」の一実施例の正面図であって、４５度左斜め下方向へ折り畳まれた「孫栞」（符号２０）の中に図示された本の見開き図に「夏」（符号３７）と表示されることによって、本の見開き８区分の６番目の場所（「夏」に呼応した左ページ上段の後半部分）が読みかけ場所として特定される。
【実施例２０】
【００５６】
図２９は、この発明「縦二段組八区分栞」の一実施例の正面図であって、４５度右斜め上方向へ折り畳まれた「子栞」（符号１２）の中に図示された本の見開き図に「秋」（符号３８）と表示されることによって、本の見開き８区分の７番目の場所（「秋」に呼応した左ページ下段の前半部分）が読みかけ場所として特定される。
【実施例２１】
【００５７】
図３０は、この発明「縦二段組八区分栞」の一実施例の正面図であって、４５度右斜め上方向へ折り畳まれた「曾孫栞」（符号３１）の中に図示された本の見開き図に「冬」（符号３９）と表示されることによって、本の見開き８区分の最後の場所（「冬」に呼応した左ページ下段の後半部分）が読みかけ場所として特定される。
【００５８】
実施例１４（図２３）、実施例１５（図２４）、実施例１６（図２５）及び実施例１７（図２６）では本の左斜め上コーナーに突き出た「栞耳」（符号３）が、また、実施例１８（図２７）、実施例１９（図２８）、実施例２０（図２９）及び実施例２１（図３０）では本の右斜め上コーナーに突き出た「栞耳」（符号３）が、それぞれ本を閉じたときに本の角から突出して、読みかけページを外観から一目にして確認できるようにするとともに、この「栞耳」を持つことによって読みかけページを開いたりページを捲るとき栞の取扱いを容易にしている。
【００５９】
右ページの右上から下へ読み進める縦四段組の本（図３１）は、各ページ４段で４区分とし、左右のページで見開き８区分となる。
【００６０】
これに対しては、図３２の型紙（正面図）を外周線及び切り線で切断し、その型紙の背面（図３３）を内側にして折り線で折り、ノリシロで糊付けして図３４（正面図）の栞（以下「縦四段組八区分栞」という。）を作る。
【００６１】
「縦四段組八区分栞」の形状（「親栞」、「子栞」、「孫栞」、「曾孫栞」）や取扱い方は前記の「縦二段組八区分栞」（図２２）と同じだが、図３２及び図３３の型紙に表示されているとおり、「親栞」や「区分栞」中に図示された本の見開き図やそこに表示される「春」から「冬」までの配置が縦四段組の本に呼応したものになっている。
【実施例２２】
【００６２】
図３１は、「縦四段組八区分栞」の実施例の一つで、「親栞」（符号２）の中に図示された「春」をもって右ページの最上段を読みかけ場所と特定している。以下「夏」から「冬」までの読みかけ場所の特定の仕方（「親栞」の向き、「区分栞」の折り畳み方）は、前記「縦二段組八区分栞」の手順に同じ。
【００６３】
以上、スミツキカッコ内の識別子００１５からスミツキカッコ内の識別子００６２までは、右ページの右上から下へ読み進める縦組の本について「発明を実施するための最良の形態」を述べたものであるが、左ページの左上から右へ読み進める横組の本に対しても「特許請求の範囲」は同じである。
【００６４】
左ページの左上から右へ読み進める「横通し組の本」（図３５）は、各ページを上半分と下半分に二分し、左右のページで見開き４区分となる。
【００６５】
これに対しては、図３６の型紙（正面図）を外周線及び切り線で切断し、その型紙の背面（図３７）を内側にして折り線で折り、ノリシロで糊付けして図３８（正面図）の栞（以下「横組四区分栞」という。）を作る。
【００６６】
「横組四区分栞」の形状（「親栞」、「子栞」）や取扱い方は前記の「縦組四区分栞」（図４）と同じだが、図３６及び図３７の型紙に表示されているとおり、「親栞」や「区分栞」の中に図示された本の見開き図やそこに表示される「春」から「冬」までの配置が、左ページの左上から右へ読み進める横通し組の本に呼応したものになっている。
【実施例２３】
【００６７】
図３５は「横組四区分栞」の実施例の一つで、「親栞」（符号２）の中に図示された「春」をもって左ページの上半分を読みかけ中の場所と特定している。以下「夏」から「冬」までの読みかけ場所の特定の仕方（「親栞」の向き、「区分栞」の折り畳み方）は、左ページの左上から右へ読み進めることを除き前記「縦組四区分栞」の手順に同じ。
【００６８】
左ページの左上から右へ読み進める「横三段組みの本」（図３９）は、各ページ３段で３区分とし、左右のページで見開き６区分となる。
【００６９】
これに対しては、図４０の型紙（正面図）を外周線及び切り線で切断し、その型紙の背面（図４１）を内側にして折り線で折り、ノリシロで糊付けして図４２（正面図）の栞（以下「横三段組六区分栞」という。）を作る。
【００７０】
「横三段組六区分栞」の形状（「親栞」、「子栞」、「孫栞」）や取扱い方は前記の「縦三段組六区分栞」（図１２）と同じだが、図４０及び図４１の型紙に記載されているとおり、「親栞」や「区分栞」の中に図示された本の見開き図やそこに表示される「春」から「冬」までの配置が、左ページの左上から右へ読み進める横三段組みの本に呼応したものになっている。
【実施例２４】
【００７１】
図３９は「横三段組六区分栞」の実施例の一つで、「親栞」（符号２）の中に図示された「春」をもって左ページの左段を読みかけ中の場所と特定している。以下「夏」から「冬」までの読みかけ場所の特定の仕方（「親栞」の向き、「区分栞」の折り畳み方）は、左ページの左上から右へ読み進めることを除き前記「縦三段組六区分栞」の手順に同じ。
【００７２】
左ページの左上から右へ読み進める「横二段組みの本」（図４３）は、各ページの各段を上半分と下半分に二分して左右二段で４区分とし、左右のページで見開き８区分となる。
【００７３】
これに対しては、図４４の型紙（正面図）を外周線及び切り線で切断し、その型紙の背面（図４５）を内側にして折り線で折り、ノリシロで糊付けして図４６（正面図）の栞（以下「横二段組八区分栞」という。）を作る。
【００７４】
「横二段組八区分栞」の形状（「親栞」、「子栞」、「孫栞」、「曾孫栞」）や取扱い方は前記の「縦二段組八区分栞」（図２２）と同じだが、図４４及び図４５の型紙に記載されているとおり、「親栞」や「区分栞」の中に図示された本の見開き図やそこに表示される「春」から「夏」までの配置が、左ページの左上から右へ読み進める横二段組みの本に呼応したものになっている。
【実施例２５】
【００７５】
図４３は「横二段組八区分栞」の実施例の一つで、「親栞」（符号２）の中に図示された「春」をもって左ページの左段上半分を読みかけ中の場所と特定している。以下「夏」から「冬」までの読みかけ場所の特定の仕方（「親栞」の向き、「区分栞」の折り畳み方）は、左ページの左上から右へ読み進めることを除き前記「縦二段組八区分栞」の手順に同じ。
【００７６】
左ページの左上から右へ読み進める「横四段組の本」（図４７）は、各ページ横４段で４区分とし、左右のページで見開き８区分となる。
【００７７】
これに対しては、図４８の型紙（正面図）を外周線及び切り線で切断し、その型紙の背面（図４９）を内側にして折り線で折り、ノリシロで糊付けして図５０（正面図）の栞（以下「横四段組八区分栞」という。）を作る。
【００７８】
「横四段組八区分栞」の形状（「親栞」、「子栞」、「孫栞」、「曾孫栞」）や取扱い方は前記の「縦四段組八区分栞」（図３４）と同じだが、図４８及び図４９の型紙に記載されているとおり、「親栞」や「区分栞」の中に図示された本の見開き図やそこに表示される「春」から「冬」までの配置が、左ページの左上から右へ読み進める横四段組の本に呼応したものになっている。
【実施例２６】
【００７９】
図４７は「横四段組八区分栞」の実施例の一つで、「親栞」（符号２）の中に図示された「春」をもって左ページの最左段を読みかけ中の場所と特定している。以下「夏」から「冬」までの読みかけ場所の特定の仕方（「親栞」の向き、「区分栞」の折り畳み方）は、左ページの左上から右へ読み進めることを除き前記「縦四段組八区分栞」の手順に同じ。
【図面の簡単な説明】
【００８０】
【図１】縦通し組の本に「縦組四区分栞」を使い、右ページを読みかけページと指定したときの斜視図（実施例１）
【図２】「縦組四区分栞」の型紙の正面図（展開図）
【図３】「縦組四区分栞」の型紙の背面図（展開図）
【図４】「縦組四区分栞」の完成正面図
【図５】「縦組四区分栞」が右ページの前半部分（見開き図の「春」に呼応した部分）を特定するときの正面図（実施例２）
【図６】「縦組四区分栞」が右ページの後半部分（見開き図の「夏」に呼応した部分）を特定するときの正面図（実施例３）
【図７】「縦組四区分栞」が左ページの前半部分（見開き図の「秋」に呼応した部分）を特定するときの正面図（実施例４）
【図８】「縦組四区分栞」が左ページの後半部分（見開き図の「冬」に呼応した部分）を特定するときの正面図（実施例５）
【図９】縦三段組の本に「縦三段組六区分栞」を使い、右ページを読みかけページと指定したときの斜視図（実施例６）
【図１０】「縦三段組六区分栞」の型紙の正面図（展開図）
【図１１】「縦三段組六区分栞」の型紙の背面図（展開図）
【図１２】「縦三段組六区分栞」の完成正面図
【図１３】「縦三段組六区分栞」が右ページの上段部分（見開き図の「春」に呼応した部分）を特定するときの正面図（実施例７）
【図１４】「縦三段組六区分栞」が右ページの中段部分（見開き図の「初夏」に呼応した部分）を特定するときの正面図（実施例８）
【図１５】「縦三段組六区分栞」が右ページの下段部分（見開き図の「夏」に呼応した部分）を特定するときの正面図（実施例９）
【図１６】「縦三段組六区分栞」が左ページの上段部分（見開き図の「秋」に呼応した部分）を特定するときの正面図（実施例１０）
【図１７】「縦三段組六区分栞」が左ページの中段部分（見開き図の「初冬」に呼応した部分）を特定するときの正面図（実施例１１）
【図１８】「縦三段組六区分栞」が左ページの下段部分（見開き図の「冬」に呼応した部分）を特定するときの正面図（実施例１２）
【図１９】縦二段組の本に「縦二段組八区分栞」を使い、右ページを読みかけページと指定したときの斜視図（実施例１３）
【図２０】「縦二段組八区分栞」の型紙の正面図（展開図）
【図２１】「縦二段組八区分栞」の型紙の背面図（展開図）
【図２２】「縦二段組八区分栞」の完成正面図
【図２３】「縦二段組八区分栞」が右ページ上段の前半部分（見開き図の「春」に呼応した部分）を特定するときの正面図（実施例１４）
【図２４】「縦二段組八区分栞」が右ページ上段の後半部分（見開き図の「夏」に呼応した部分）を特定するときの正面図（実施例１５）
【図２５】「縦二段組八区分栞」が右ページ下段の前半部分（見開き図の「秋」に呼応した部分）を特定するときの正面図（実施例１６）
【図２６】「縦二段組八区分栞」が右ページ下段の後半部分（見開き図の「冬」に呼応した部分）を特定するときの正面図（実施例１７）
【図２７】「縦二段組八区分栞」が左ページ上段の前半部分（見開き図の「春」に呼応した部分）を特定するときの正面図（実施例１８）
【図２８】「縦二段組八区分栞」が左ページ上段の後半部分（見開き図の「夏」に呼応した部分）を特定するときの正面図（実施例１９）
【図２９】「縦二段組八区分栞」が左ページ下段の前半部分（見開き図の「秋」に呼応した部分）を特定するときの正面図（実施例２０）
【図３０】「縦二段組八区分栞」が左ページ下段の後半部分（見開き図の「冬」に呼応した部分）を特定するときの正面図（実施例２１）
【図３１】縦四段組の本に「縦四段組八区分栞」を使い、右ページを読みかけページと指定し、その最上段部分（見開き図の「春」に呼応した部分）を読みかけ場所と特定したときの斜視図（実施例２２）
【図３２】「縦四段組八区分栞」の型紙の正面図（展開図）
【図３３】「縦四段組八区分栞」の型紙の背面図（展開図）
【図３４】「縦四段組八区分栞」の完成図
【図３５】横通し組の本に「横組四区分栞」を使い、左ページを読みかけページと指定し、その上半部分（見開き図の「春」に呼応した部分）を読みかけ場所と特定したときの斜視図（実施例２３）
【図３６】「横組四区分栞」の型紙の正面図（展開図）
【図３７】「横組四区分栞」の型紙の背面図（展開図）
【図３８】「横組四区分栞」の完成図
【図３９】横三段組の本に「横三段組六区分栞」を使い、左ページを読みかけページと指定し、その左段部分（見開き図の「春」に呼応した部分）を読みかけ場所と特定したときの斜視図（実施例２４）
【図４０】「横三段組六区分栞」の型紙の正面図（展開図）
【図４１】「横三段組六区分栞」の型紙の背面図（展開図）
【図４２】「横三段組六区分栞」の完成図
【図４３】横二段組の本に「横二段組八区分栞」を使い、左ページを読みかけページと指定し、その左段の上半部分（見開き図の「春」に呼応した部分）を読みかけ場所と特定したときの斜視図（実施例２５）
【図４４】「横二段組八区分栞」の型紙の正面図（展開図）
【図４５】「横二段組八区分栞」の型紙の背面図（展開図）
【図４６】「横二段組八区分栞」の完成図
【図４７】横四段組の本に「横四段組八区分栞」を使い、左ページを読みかけページと指定し、その最左段部分（見開き図の「春」に呼応した部分）を読みかけ場所と特定したときの斜視図（実施例２６）
【図４８】「横四段組八区分栞」の型紙の正面図（展開図）
【図４９】「横四段組八区分栞」の型紙の背面図（展開図）
【図５０】「横四段組八区分栞」の完成図
【符号の説明】
【００８１】
１  縦通し組の本
２  「親栞」（栞の上面の表面）
３  「栞耳」
４  栞の下面    
５  栞の上面と下面との間の折り線
６  栞のノリシロ
７  栞のノリシロの折り線
８  折り畳まれる前の「子栞」の裏面
９  「子栞」の切り線
１０  「子栞」の折り線  
１１  栞の開口部
１２  「子栞」
１３  「縦組四区分栞」の「親栞」の中で、読みかけ場所を右ページ前半と特定するものとして「春」と表示されている部分
１４  「子栞」の中で、読みかけ場所を右ページ後半と特定するものとして「夏」と表示されている部分
１５  「縦組四区分栞」の「親栞」の中で、読みかけ場所を左ページ前半と特定するものとして「秋」と表示されている部分
１６  「子栞」の中で、読みかけ場所を左ページ後半と特定するものとして「冬」と表示されている部分
１７  縦三段組の本
１８  「孫栞」の切り線
１９  折り畳まれる前の「孫栞」の裏面
２０  「孫栞」  
２１  「孫栞」の折り線
２２  「縦三段組六区分栞」の「親栞」の中で、読みかけ場所を右ページ上段と特定するものとして「春」と表示されている部分
２３  「孫栞」の中で、読みかけ場所を右ページ中段と特定するものとして「初夏」と表示されている部分
２４  「子栞」の中で、読みかけ場所を右ページ下段と特定するものとして「夏」と表示されている部分
２５  「縦三段組六区分栞」の「親栞」の中で、読みかけ場所を左ページ上段と特定するものとして「秋」と表示されている部分
２６  「孫栞」の中で、読みかけ場所を左ページ中段と特定するものとして「初冬」と表示されている部分
２７  「子栞」の中で、読みかけ場所を左ページ下段と特定するものとして「冬」と表示されている部分
２８  縦二段組の本
２９  折り畳まれる前の「曾孫栞」の裏面
３０  「曾孫栞」の折り線
３１  「曾孫栞」
３２  「縦二段組八区分栞」の「親栞」の中で、読みかけ場所を右ページ上段の前半部分と特定するものとして「春」と表示されている部分
３３  「孫栞」の中で、読みかけ場所を右ページ上段の後半部分と特定するものとして「夏」と表示されている部分
３４  「子栞」の中で、読みかけ場所を右ページ下段の前半部分と特定するものとして「秋」と表示されている部分
３５  「曾孫栞」の中で、読みかけ場所を右ページ下段の後半部分と特定するものとして「冬」と表示されている部分
３６  「縦二段組八区分栞」の「親栞」の中で、読みかけ場所を左ページ上段の前半部分と特定するものとして「春」と表示されている部分
３７  「孫栞」の中で、読みかけ場所を左ページ上段の後半部分と特定するものとして「夏」と表示されている部分
３８  「子栞」の中で、読みかけ場所を左ページ下段の前半部分と特定するものとして「秋」と表示されている部分
３９  「曾孫栞」の中で、読みかけ場所を左ページ下段の後半部分と特定するものとして「冬」と表示されている部分
４０  縦四段組の本
４１  横通し組の本
４２  横三段組の本
４３  横二段組の本
４４  横四段組の本
【図１】
2006007574.tif 000003
【図２】
2006007574.tif 000004
【図３】
2006007574.tif 000005
【図４】
2006007574.tif 000006
【図５】
2006007574.tif 000007
【図６】
2006007574.tif 000008
【図７】
2006007574.tif 000009
【図８】
2006007574.tif 000010
【図９】
2006007574.tif 000011
【図１０】
2006007574.tif 000012
【図１１】
2006007574.tif 000013
【図１２】
2006007574.tif 000014
【図１３】
2006007574.tif 000015
【図１４】
2006007574.tif 000016
【図１５】
2006007574.tif 000017
【図１６】
2006007574.tif 000018
【図１７】
2006007574.tif 000019
【図１８】
2006007574.tif 000020
【図１９】
2006007574.tif 000021
【図２０】
2006007574.tif 000022
【図２１】
2006007574.tif 000023
【図２２】
2006007574.tif 000024
【図２３】
2006007574.tif 000025
【図２４】
2006007574.tif 000026
【図２５】
2006007574.tif 000027
【図２６】
2006007574.tif 000028
【図２７】
2006007574.tif 000029
【図２８】
2006007574.tif 000030
【図２９】
2006007574.tif 000031
【図３０】
2006007574.tif 000032
【図３１】
2006007574.tif 000033
【図３２】
2006007574.tif 000034
【図３３】
2006007574.tif 000035
【図３４】
2006007574.tif 000036
【図３５】
2006007574.tif 000037
【図３６】
2006007574.tif 000038
【図３７】
2006007574.tif 000039
【図３８】
2006007574.tif 000040
【図３９】
2006007574.tif 000041
【図４０】
2006007574.tif 000042
【図４１】
2006007574.tif 000043
【図４２】
2006007574.tif 000044
【図４３】
2006007574.tif 000045
【図４４】
2006007574.tif 000046
【図４５】
2006007574.tif 000047
【図４６】
2006007574.tif 000048
【図４７】
2006007574.tif 000049
【図４８】
2006007574.tif 000050
【図４９】
2006007574.tif 000051
【図５０】
2006007574.tif 000052